(57)【要約】【課題】  複製ドキュメントに追記又は削除といった変更が加えられている場合に、その変更を表す情報をユーザに知らせること。【解決手段】  複製ドキュメントを表す複製ドキュメント画像を取得する複製ドキュメント画像取得手段（１６）と、前記複製ドキュメントに対応する原本ドキュメントを表す原本ドキュメント画像を取得する原本ドキュメント取得手段（３０）と、前記原本ドキュメント画像と前記複製ドキュメント画像とに基づき、前記複製ドキュメントと前記原本ドキュメントとの相違する箇所の全部又は一部を表す相違箇所画像を生成する相違箇所画像生成手段（２８）と、前記相違箇所画像に基づくドキュメントを出力するドキュメント出力手段（２４）と、を含むことを特徴とする。【選択図】        図２
2005210327.tif 000002
【特許請求の範囲】
【請求項１】
複製ドキュメントを表す複製ドキュメント画像を取得する複製ドキュメント画像取得手段と、
前記複製ドキュメントに対応する原本ドキュメントを表す原本ドキュメント画像を取得する原本ドキュメント画像取得手段と、
前記原本ドキュメント画像と前記複製ドキュメント画像とに基づき、前記複製ドキュメントと前記原本ドキュメントとの相違する箇所の全部又は一部を表す相違箇所画像を生成する相違箇所画像生成手段と、
前記相違箇所画像に基づくドキュメントを出力するドキュメント出力手段と、
を含むことを特徴とするドキュメント処理装置。
【請求項２】
請求項１に記載のドキュメント処理装置において、
前記ドキュメント出力手段は、前記相違箇所画像と前記原本ドキュメント画像との合成画像に基づくドキュメントを出力する手段を含む
ことを特徴とするドキュメント処理装置。
【請求項３】
請求項１又は２に記載のドキュメント処理装置において、
前記複製ドキュメントは前記原本ドキュメントに関する情報が表されたものであり、
前記原本ドキュメント画像取得手段は、前記複製ドキュメントに表された前記原本ドキュメントに関する情報に基づいて、前記原本ドキュメント画像を取得する
ことを特徴とするドキュメント処理装置。
【請求項４】
請求項３に記載のドキュメント処理装置において、
前記原本ドキュメントに関する情報は、前記原本ドキュメント画像の記憶場所を表す情報であり、
前記原本ドキュメント画像取得手段は、前記原本ドキュメントに関する情報により表される記憶場所に記憶された前記原本ドキュメント画像を取得する
ことを特徴とするドキュメント処理装置。
【請求項５】
請求項４に記載のドキュメント処理装置において、
前記原本ドキュメント画像は、当該ドキュメント処理装置とネットワークを介して接続された記憶手段に記憶されたものである
ことを特徴とするドキュメント処理装置。
【請求項６】
請求項１乃至５のいずれかに記載のドキュメント処理装置において、
前記相違箇所画像生成手段は、前記原本ドキュメント画像と前記複製ドキュメント画像に対し、差分画像生成処理を含む画像処理を施すことにより、前記相違箇所画像を生成する
ことを特徴とするドキュメント処理装置。
【請求項７】
請求項１乃至６のいずれかに記載のドキュメント処理装置において、
前記原本ドキュメント画像に基づき、前記原本ドキュメントを出力する原本ドキュメント出力手段と、
前記原本ドキュメント出力手段による前記原本ドキュメントの出力、又は前記ドキュメント出力手段によるドキュメントの出力を選択的に行わせる選択出力手段と、
をさらに含むことを特徴とするドキュメント処理装置。
【請求項８】
請求項１乃至７のいずれかに記載のドキュメント処理装置において、
前記相違箇所画像における追加箇所と削除箇所とを判断する判断手段をさらに含み、
前記ドキュメント出力手段は、前記判断手段による判断結果に基づき、前記相違箇所画像に基づくドキュメントにおける前記追加箇所と前記削除箇所とを、異なる出力形態により出力する
ことを特徴とするドキュメント処理装置。
【請求項９】
請求項２に記載のドキュメント処理装置において、
前記原本ドキュメント画像に合成する場合に、前記相違箇所画像の色情報を前記原本ドキュメント画像の色情報に基づいて決定する色情報決定手段をさらに含む
ことを特徴とするドキュメント処理装置。
【請求項１０】
複製ドキュメントを表す複製ドキュメント画像を取得する複製ドキュメント画像取得ステップと、
前記複製ドキュメントに対応する原本ドキュメントを表す原本ドキュメント画像を取得する原本ドキュメント画像取得ステップと、
前記原本ドキュメント画像と前記複製ドキュメント画像とに基づき、前記複製ドキュメントと前記原本ドキュメントとの相違する箇所の全部又は一部を表す相違箇所画像を生成する相違箇所画像生成ステップと、
前記相違箇所画像に基づくドキュメントを出力するドキュメント出力ステップと、
を含むことを特徴とするドキュメントの出力方法。
【請求項１１】
複製ドキュメントを表す複製ドキュメント画像を取得する複製ドキュメント画像取得手段、
前記複製ドキュメントに対応する原本ドキュメントを表す原本ドキュメント画像を取得する原本ドキュメント画像取得手段、
前記原本ドキュメント画像と前記複製ドキュメント画像とに基づき、前記複製ドキュメントと前記原本ドキュメントとの相違する箇所の全部又は一部を表す相違箇所画像を生成する相違箇所画像生成手段、及び
ドキュメント出力手段に対して前記相違箇所画像に基づくドキュメントの出力を指示するドキュメント出力指示手段
としてコンピュータを機能させるためのプログラム。
【発明の詳細な説明】
【技術分野】
【０００１】
本発明はドキュメント処理装置、ドキュメントの出力方法及びプログラムに関し、特に複製ドキュメント画像とそれに対応する原本ドキュメント画像を用いたドキュメント処理に関する。
【背景技術】
【０００２】
紙等の媒体に表されたドキュメント（文書）の複製を得る手段として、複写機や複合機が利用されている。しかし、これらの装置でドキュメントの複製を作成すると、ドキュメント読取装置やドキュメント出力装置の特性により、複製されたドキュメントの特性はその原本であるドキュメントの特性とは異なり、一般的にその画質は劣化する。したがって、複製を繰り返すうちにドキュメントの見読性が徐々に低下するという問題がある。
【０００３】
この問題を解決するための技術として、たとえば下記公報に開示されている技術では、複写機で複製を作る際、原本ドキュメントの画像を、それを特定するための画像（コード画像）と合成して複製ドキュメントとしてプリント出力している。そして、プリント出力された複製ドキュメントを再度複写する際には、付加されたコード画像から原本ドキュメントを特定して、保管してある原本ドキュメントの画像を出力することにより、複製を繰り返しても原本ドキュメントと同等の画質を維持した複製物を得ることができるようにしている。
【特許文献１】特開平６−１８９０９０号公報
【発明の開示】
【発明が解決しようとする課題】
【０００４】
複製ドキュメントには手書きによる追記や削除等の変更が加えられる場合がある。例えば、複製ドキュメントの内容を見て思いついたアイデアが付加されたり、複製ドキュメントが稟議書である場合には、承認印やサインが付加されたりする。また、複製ドキュメントのうち不要な箇所が修正液や紙テープ等で削除される場合もある。
【０００５】
しかしながら、上記背景技術では、複製ドキュメントを再複製する代わりに原本ドキュメントを出力するため、上述したような変更情報をユーザが知ることができないという問題があった。
【０００６】
本発明は、上記課題に鑑みてなされたものであって、その目的は、複製ドキュメントに追記又は削除といった変更が加えられている場合に、その変更を表す情報をユーザに知らせることができるドキュメント処理装置、ドキュメントの出力方法及びプログラムを提供することにある。
【課題を解決するための手段】
【０００７】
上記課題を解決するために、本発明に係るドキュメント処理装置は、複製ドキュメントを表す複製ドキュメント画像を取得する複製ドキュメント画像取得手段と、前記複製ドキュメントに対応する原本ドキュメントを表す原本ドキュメント画像を取得する原本ドキュメント画像取得手段と、前記原本ドキュメント画像と前記複製ドキュメント画像とに基づき、前記複製ドキュメントと前記原本ドキュメントとの相違する箇所の全部又は一部を表す相違箇所画像を生成する相違箇所画像生成手段と、前記相違箇所画像に基づくドキュメントを出力するドキュメント出力手段と、を含むことを特徴とする。
【０００８】
ここで、前記ドキュメント出力手段は、前記相違箇所画像と前記原本ドキュメント画像との合成画像に基づくドキュメントを出力する手段を含むようにしてもよい。また、相違箇所画像自体を出力する手段を含むようにしてもよい。ドキュメント出力手段は、印刷出力、表示出力、音声出力、送信出力等のあらゆる態様によりドキュメントを出力してよい。
【０００９】
また、前記複製ドキュメントが前記原本ドキュメントに関する情報を表すようにしておき、前記原本ドキュメント画像取得手段は、前記複製ドキュメントに表された前記原本ドキュメントに関する情報に基づいて、前記原本ドキュメント画像を取得するようにしてもよい。
【００１０】
この場合、前記原本ドキュメントに関する情報を、前記原本ドキュメント画像の記憶場所を表す情報とし、前記原本ドキュメント画像取得手段は、前記原本ドキュメントに関する情報により表される記憶場所に記憶された前記原本ドキュメント画像を取得するようにしてもよい。また、前記原本ドキュメント画像は、当該ドキュメント処理装置とネットワークを介して接続された記憶手段に記憶されたものであってよい。また、前記原本ドキュメントに関する情報は、前記原本ドキュメント画像を当該ドキュメント処理装置において生成ないし復元するための情報であってもよい。
【００１１】
また、本発明の一態様では、前記相違箇所画像生成手段は、前記原本ドキュメント画像と前記複製ドキュメント画像に対し、差分画像生成処理を含む画像処理を施すことにより、前記相違箇所画像を生成してもよい。差分画像生成処理は、例えば両画像の対応画素に関連づけられた色情報の差を算出する処理を含む画像処理である。
【００１２】
また、前記原本ドキュメント画像に基づき、前記原本ドキュメントを出力する原本ドキュメント出力手段と、前記原本ドキュメント出力手段による前記原本ドキュメントの出力、又は前記ドキュメント出力手段によるドキュメントの出力を選択的に行わせる選択出力手段と、をさらに含むようにしてもよい。
【００１３】
また、前記相違箇所画像における追加箇所と削除箇所とを判断する判断手段をさらに含み、前記ドキュメント出力手段は、前記判断手段による判断結果に基づき、前記相違箇所画像に基づくドキュメントにおける前記追加箇所と前記削除箇所とを、異なる出力形態により出力するようにしてもよい。出力形態は、例えば色、背景、囲み、アンダーライン等である。
【００１４】
さらに、前記原本ドキュメント画像に合成する場合に、前記相違箇所画像の色情報を前記原本ドキュメント画像の色情報に基づいて決定する色情報決定手段をさらに含むようにしてもよい。
【００１５】
また、本発明に係るドキュメントの出力方法は、複製ドキュメントを表す複製ドキュメント画像を取得する複製ドキュメント画像取得ステップと、前記複製ドキュメントに対応する原本ドキュメントを表す原本ドキュメント画像を取得する原本ドキュメント画像取得ステップと、前記原本ドキュメント画像と前記複製ドキュメント画像とに基づき、前記複製ドキュメントと前記原本ドキュメントとの相違する箇所の全部又は一部を表す相違箇所画像を生成する相違箇所画像生成ステップと、前記相違箇所画像に基づくドキュメントを出力するドキュメント出力ステップと、を含むことを特徴とする。
【００１６】
また、本発明に係るプログラムは、複製ドキュメントを表す複製ドキュメント画像を取得する複製ドキュメント画像取得手段、前記複製ドキュメントに対応する原本ドキュメントを表す原本ドキュメント画像を取得する原本ドキュメント画像取得手段、前記原本ドキュメント画像と前記複製ドキュメント画像とに基づき、前記複製ドキュメントと前記原本ドキュメントとの相違する箇所の全部又は一部を表す相違箇所画像を生成する相違箇所画像生成手段、及びドキュメント出力手段に対して前記相違箇所画像に基づくドキュメントの出力を指示するドキュメント出力指示手段としてコンピュータを機能させるためのプログラムである。このプログラムは、コンピュータにより読取可能な情報記憶媒体に格納されてよい。
【発明を実施するための最良の形態】
【００１７】
以下、本発明の一実施形態について図面に基づき詳細に説明する。
【００１８】
図１は、本発明の一実施形態に係るドキュメント処理システムの概略構成を示す図である。同図に示すように、このシステムは、ドキュメント処理装置１０とドキュメント管理サーバ１４とを含んで構成されている。ドキュメント処理装置１０は、紙等の媒体にプリントされたドキュメントを読み取り、該ドキュメントを表す画像（ドキュメント画像）を生成するスキャナ等のドキュメント読取部と、該ドキュメント読取部により生成される画像を取得し、各種画像処理を実行するコンピュータと、該コンピュータにより出力されるドキュメント画像を紙等の媒体にプリント出力するドキュメント出力部と、を備えている。ドキュメント処理装置１０は、例えば複写機や、複写機能以外の機能（例えばプリント機能）を併有した複合機として構成されてよい。
【００１９】
一方、ドキュメント管理サーバ１４は、例えば公知のサーバコンピュータシステム又はネットワークデータストレージ等を含んで構成されるものであり、各種ドキュメントの原本となるドキュメント（原本ドキュメント）を表す画像を生成するためのデータ（原本ドキュメント画像データ）を記憶する記憶手段を備えている。
【００２０】
ドキュメント処理装置１０とドキュメント管理サーバ１４は、いずれもＬＡＮ（ローカルエリアネットワーク）等のデータ通信ネットワーク１２にデータ通信接続されている。そして、ドキュメント処理装置１０は、ドキュメント管理サーバ１４に原本ドキュメントデータを特定するデータを送信することにより、該データにより特定される原本ドキュメント画像データを受信することができるようになっている。
【００２１】
図２は、ドキュメント処理装置１０の構成を示す図である。同図に示すように、ドキュメント処理装置１０は、ドキュメント読取部１６と、制御部１８と、データ通信部２０と、ユーザインタフェース部２２と、ドキュメント出力部２４と、を含んで構成されている。
【００２２】
ドキュメント読取部１６は、スキャナ等のイメージ読取装置を含んで構成されるものであり、複製ドキュメント等のドキュメントが表された紙等の媒体から、該ドキュメントを表す画像データを生成するものである。この画像データ（ドキュメント画像）は制御部１８に供給されるようになっている。
【００２３】
制御部１８は、コンピュータを中心として構成されており、該コンピュータは各種プログラムを実行するようになっている。制御部１８では、これらのプログラムを実行することにより、装置各部を制御するようになっている。
【００２４】
データ通信部２０は、データ通信ネットワーク１２に接続されるネットワークインタフェースカード等のデータ通信装置を含んで構成されており、制御部１８からの命令に従ってドキュメント管理サーバ１４等の他の装置に対してデータを送信したり、それらの装置からデータを受信したりするものである。
【００２５】
ユーザインタフェース部２２は、例えばボタンやタッチパネル等の入力装置、液晶表示装置等の表示装置を含んで構成されるものであり、制御部１８による命令に従って当該ドキュメント処理装置１０の操作メニューを表すメニュー画像（図６参照）等を表示したり、ユーザによる上記入力装置に対する入力の内容を制御部１８に供給したりする。本実施形態では、ユーザインタフェース部２２にタッチパネルが備えられ、ドキュメント処理装置１０が手動モードで動作する場合において、ユーザがドキュメント出力の形態を指示するのに用いられる。
【００２６】
ドキュメント出力部２４は、紙等の媒体にドキュメントをプリントするドキュメント形成装置を含んで構成されており、制御部１８から供給される画像データを受け取り、該画像データが表す画像を紙等の媒体に印刷するものである。なお、ドキュメント形成装置によるドキュメント形成はどのような方式であってもよい。また、ドキュメントの出力は、印刷以外であってよく、例えば表示装置による表示出力や、音声装置による音声出力や、送信装置による送信出力であってよい。
【００２７】
制御部１８では、特に画像処理プログラムの実行により、出力画像生成部２６、相違箇所画像生成部２８及び原本ドキュメント取得部３０が実現されるようになっている。原本ドキュメント取得部３０には情報抽出部３２が含まれている。
【００２８】
情報抽出部３２では、ドキュメント読取部１６で生成されたドキュメント画像を取得し、該画像からコード画像（二次元画像）を切り出し、さらに該コード画像から原本ドキュメントの所在（データ通信ネットワーク１２におけるドキュメント管理サーバ１４のアドレス及び原本ドキュメントのパス及びファイル名等）を表すコードデータを復号する。原本ドキュメント取得部３０では、該コードデータにより表される場所に記憶された画像データを、データ通信部２０を介して取得する。本明細書では、ドキュメント読取部１６により読み取られるドキュメントを複製ドキュメントといい、該複製ドキュメントに表されたコード画像に基づいてドキュメント管理サーバ１４から、その画像データが取得されるドキュメントを原本ドキュメントという。
【００２９】
相違箇所画像生成部２８は、原本ドキュメント取得部３０により取得される原本ドキュメント画像、及びドキュメント読取部１６から取得する複製ドキュメント画像に基づき、前記複製ドキュメントと前記原本ドキュメントとの相違する箇所の全部又は一部を表す相違箇所画像を生成する。相違箇所画像は、ユーザが複製ドキュメントに対して追記した箇所や、複製ドキュメントから削除した箇所のうち、一方又は両方の全部又は一部が表される。
【００３０】
図３は、原本ドキュメント取得部３０により取得される原本ドキュメントの一例を示す図である。また、図４は、原本ドキュメント画像に基づいて生成される複製ドキュメントの一例を示す図である。本実施形態では、原本ドキュメントの内容を表す複製ドキュメントを生成する際、該複製ドキュメントの一部にコード画像３４が付加される。すなわち、原本ドキュメントに比して、複製ドキュメントはその一部にコード画像３４が付加されている点が異なる。このコード画像は、当該複製ドキュメントを生成する際に用いた原本ドキュメントの所在を表すコードデータを復元可能なよう構成された画像である。コード画像を生成したり、複製ドキュメントからコード画像を抽出したり、コード画像からコードデータを復元するには、公知技術が用いられてよい。
【００３１】
相違箇所画像生成部２８では、図４に示す複製ドキュメント又はそれに対して追記や削除等の変更が加えられたものを表す画像（複製ドキュメント画像）を、ドキュメント読取部１６から取得する。一方、原本ドキュメント取得部３０に含まれる情報抽出部３２では、このドキュメント画像からコード画像を抽出し、該コード画像からコードデータを生成する。そして、原本ドキュメント取得部３０は、このコードデータにより特定されるデータを取得し、該データにより表される原本ドキュメント画像を相違箇所画像生成部２８に供給する。
【００３２】
相違箇所画像生成部２８では、原本ドキュメント取得部３０から取得する原本ドキュメント画像と、ドキュメント読取部１６から取得する複製ドキュメント画像に基づき、相違箇所画像を生成する。
【００３３】
具体的には、複製ドキュメント画像からコード画像部分を削除し、コード画像部分を削除した複製ドキュメント画像と原本ドキュメント画像とを位置合わせする。そして、位置合わせした状態で、両画像の差分画像を生成する（差分画像生成処理）。すなわち、各画像は、該画像を構成する各画素に色情報が関連づけられており、同処理では、対応画素に関連づけられた色情報の差を演算し、該差を元々の画素に関連づけてなる差分画像を生成している。或いは、原本ドキュメント画像の所定位置にコード画像を付加し、コード画像が付加済みの原本ドキュメント画像と複製ドキュメント画像との差分画像を生成するようにしてもよい。これらの差分画像そのものを相違箇所画像としてもよい。また、差分画像に対してノイズ除去処理や色変更処理等の各種画像処理を施した画像を相違箇所画像としてもよい。さらに、差分画像によれば、各画素に関連づけられたデータ（色情報の差）の符号に基づき、複製ドキュメントに対して追記等の追加が行われた箇所であるか、消去等の削除がされた箇所であるかを判断することができる。例えば、コード画像部分を削除した複製ドキュメント画像に係る色情報から、原本ドキュメント画像に係る色情報を、両画像を位置合わせした状態で減算する場合、負の値に関連づけられた画素の位置は削除された箇所であると判断される。また、正の値に関連づけられた画素の位置は追加された箇所であると判断される。逆に、原本ドキュメント画像に係る色情報から、コード画像部分を削除した複製ドキュメント画像に係る色情報を、両画像を位置合わせした状態で減算する場合、正の値に関連づけられた画素の位置は削除された箇所であると判断される。また、負の値に関連づけられた画素の位置は追加された箇所であると判断される。そこで、以上の判断に従って、差分画像から追加箇所のみを抽出した画像を相違箇所画像としてもよい。また、削除箇所のみを抽出した画像を相違箇所画像としてもよい。
【００３４】
ここでは、相違箇所画像生成部２８では、上記差分画像のうち追加箇所だけを抽出して相違箇所画像とし、該相違箇所画像とコード画像とを原本ドキュメント画像に加算する。こうして、原本ドキュメントに元々表されていた情報と、複製ドキュメントに追加された情報と、コード画像とが表された画像を生成・出力することができる。
【００３５】
この場合、複製ドキュメントに追加された情報がなければ、コード画像が新たに付加される他は、原本ドキュメントと同等の内容が表されたドキュメントが出力される。なお、複製ドキュメントからコード画像を抽出できなかったり、或いはコード画像により特定される場所から原本ドキュメントを取得できない等、原本ドキュメント取得部３０が原本ドキュメント画像を取得できかったりした場合、ドキュメント読取部１６から取得されるドキュメント画像がそのままドキュメント出力部２４に供給される。さらに、ユーザの設定に応じて、相違箇所画像そのものをドキュメント出力部２４に供給し、紙等の媒体に印刷出力させてもよい。
【００３６】
本実施形態に係るドキュメント処理装置１０は、自動モード又は手動モードで動作するようになっており、自動モードでは、入力される複製ドキュメント画像に対応する原本ドキュメント画像を取得できれば、相違箇所画像を生成し、それとコード画像とを原本ドキュメント画像に合成し、出力する。また、原本ドキュメント画像を取得できなければ、入力される複製ドキュメント画像をそのまま出力する。一方、手動モードでは、後述するメニュー画面（図６）に従って出力ドキュメントの種類（出力態様）が選択される。
【００３７】
図５は、図３に示される原本ドキュメント（ＡＢＣの文字が表されたドキュメント）と図４に示される複製ドキュメント（ＡＢＣの文字とコード画像が表されたドキュメント）に対する、ドキュメント処理装置１０の処理態様を説明する図である。同図（ａ）では、複製ドキュメントに追加や削除等の変更がされず、そこに表されたコード画像から原本ドキュメント画像が取得できる場合における、入力ドキュメント（図中左側）及び出力ドキュメント（図中右側）を表している。入力ドキュメントは、ドキュメント読取部１６にセットされるドキュメントであり、出力ドキュメントはドキュメント出力部２４から出力されるドキュメントである。この場合、原本ドキュメント画像にコード画像が付加された画像が出力される。
【００３８】
同図（ｂ）は、複製ドキュメントに追加（Ｄの文字）及び削除（Ａの文字）がされ、そこに表されたコード画像から原本ドキュメント画像が取得できる場合における、入力ドキュメント（図中左側）及び出力ドキュメント（図中右側）を表している。この場合の出力ドキュメントでは、「ＡＢＣ」の文字については、原本ドキュメント画像に基づいて印刷されており、「Ｄ」の文字については、相違箇所画像に基づいて印刷されている。このとき、「Ｄ」の文字については、囲みを付加したり、色を異ならせたり、背景を付加したり、アンダーラインを付加したりして、変更（追加）箇所であることが分かるように出力態様を異ならせることが望ましい。また、色を異ならせる場合、出力ドキュメントで既に用いられている色情報に基づき、例えば出力ドキュメントにおいて目立つと判断される色となるよう、変更箇所の色情報を決定することが望ましい。
【００３９】
同様に、「Ａ」の文字についても、囲みを付加したり、色を異ならせたり、背景を付加したり、アンダーラインを付加したりして、変更（削除）箇所であることが分かるように出力態様を異ならせてもよい。また、上述したように、相違箇所画像の符号により、複製ドキュメントに対して追加された箇所（Ｄの文字）であるか、複製ドキュメントから削除された箇所（Ａの文字）であるのかを判断することができるので、追加箇所と削除箇所とで出力（ここでは印刷）態様を異ならせてもよい。
【００４０】
同図（ｃ）は、複製ドキュメントに対応する原本ドキュメントが取得できない場合における、入力ドキュメント（図中左側）及び出力ドキュメント（図中右側）を表している。この場合、入力ドキュメントがそのまま出力される。
【００４１】
同図（ｄ）は、ユーザにより相違箇所画像自体の出力が指示され、また、複製ドキュメントに追加（Ｄの文字）及び削除（Ａの文字）がされ、そこに表されたコード画像から原本ドキュメント画像が取得できる場合における、入力ドキュメント（図中左側）及び出力ドキュメント（図中右側）を表している。この場合の出力ドキュメントでは、追加された「Ｄ」の文字と削除された「Ａ」の文字のみが印刷されている。この場合、上述したように、相違箇所画像の符号により、複製ドキュメントに対して追加された箇所（Ｄの文字）であるか、複製ドキュメントから削除された箇所（Ａの文字）であるのかを判断することができるので、追加箇所と削除箇所とで出力（ここでは印刷）態様を異ならせるようにすることが望ましい。
【００４２】
ユーザインタフェース部２２では、図６に示すメニュー画面を表示するようになっている。同メニュー画面では、通常コピーボタン３６と、原本プリントボタン３８と、原本コピーボタン４０と、差分コピーボタン４２と、が表されている。通常コピーボタン３６は、ドキュメント読取部１６から取得したドキュメント画像をそのままドキュメント出力部２４により出力するためのボタンである。この通常コピーボタン３６が選択された場合には、ドキュメント画像からコード画像を抽出できる場合には、該コード画像を削除した上、再度付加されてもよい。
【００４３】
原本プリントボタン３８が選択された場合には、ドキュメント読取部１６から取得したドキュメント画像からコード画像が抽出され、該コード画像から生成されるコードデータに基づいて原本ドキュメント画像が取得される。そして、該原本ドキュメント画像にコード画像を付加したものがドキュメント出力部２４により出力される。
【００４４】
原本コピーボタン４０が選択された場合は、ドキュメント読取部１６から取得したドキュメント画像からコード画像が抽出され、該コード画像から生成されるコードデータに基づいて原本ドキュメント画像が取得される。そして、該原本ドキュメント画像にコード画像が付加されるとともに、さらに相違箇所画像のうち追記等の追加箇所を表す画像が付加され、その画像が出力される。
【００４５】
差分コピーボタン４２が選択された場合には、相違箇所画像がドキュメント出力部２４により出力される。なお、図７（ａ）に示すように、相違箇所画像のうち追記等の追加がなされた箇所のみを出力してもよいし、同図（ｂ）に示すように、相違箇所画像のうち消去等の削除がなされた箇所のみを出力してもよい。
【００４６】
ここで、ドキュメント処理装置１０の自動モードにおける動作を説明する。図８は、ドキュメント処理装置１０の自動モードにおける動作を示すフロー図である。同図に示すように、自動モードでは、ドキュメント読取部１６は、そこにセットされた紙等の媒体から複製ドキュメント画像を読み取り、制御部１８は該画像を取得する（Ｓ１０１）。次に、情報抽出部３２は、ドキュメント読取部１６から取得した複製ドキュメント画像から、コード画像を抽出する（Ｓ１０２）。このとき、コード画像の抽出に失敗すれば（Ｓ１０３）、ドキュメント読取部１６から取得した画像をそのままドキュメント出力部２４に渡し、該画像を紙等の媒体に印刷して出力する（Ｓ１１１）。
【００４７】
一方、コード画像の抽出に成功すれば（Ｓ１０３）、該コード画像からコードデータを復号する（Ｓ１０４）。このとき、コードデータの復号に失敗すれば（Ｓ１０５）、ドキュメント読取部１６から取得した画像をそのままドキュメント出力部２４に渡し、該画像を紙等の媒体に印刷して出力する（Ｓ１１１）。
【００４８】
また、コードデータの復号に成功すれば（Ｓ１０５）、次に該コードデータにより所在が特定される原本ドキュメント画像をドキュメント管理サーバ１４から取得する（Ｓ１０６）。このとき、データ通信ネットワーク１２やドキュメント管理サーバ１４等のトラブルにより、原本ドキュメント画像の取得に失敗すれば（Ｓ１０７）、ドキュメント読取部１６から取得した画像をそのままドキュメント出力部２４に渡し、該画像を紙等の媒体に印刷して出力する（Ｓ１１１）。
【００４９】
一方、原本ドキュメント画像の取得に成功すれば（Ｓ１０７）、該原本ドキュメント画像（画像データ）をラスタ化（画像化）し（Ｓ１０８）、原本ドキュメント画像と複製ドキュメント画像とを照合する（Ｓ１０９）。すなわち、両画像を位置合わせした後、両画像の差分を生成する。そして、こうして得られる相違箇所画像に基づいて出力画像を生成する（Ｓ１１０）。ここでは、原本ドキュメント画像に相違箇所画像を合成したものをドキュメント出力部２４により出力することとするが、相違箇所画像の全部又は一部のみをドキュメント出力部２４により出力するようにしてもよい。
【００５０】
以上説明したドキュメント処理装置１０によれば、複製ドキュメントに追記又は削除といった変更が加えられている場合に、その変更情報を出力ドキュメントに表して、ユーザに知らせることができる。
【００５１】
なお、本発明は上記実施形態に限定されるものではない。例えば、原本ドキュメントの情報は、上記コード画像に限らず、複製ドキュメントの背景の全部又は一部に合成するようにしてもよい。また、コード画像は、２次元コードであってもよいし、バーコードのような１次元コードであってもよい。
【００５２】
また、複製ドキュメントの情報は、複製ドキュメント画像データの所在を表すものに限らず、複製ドキュメント画像そのものを復号可能な情報であってもよい。さらに、複製ドキュメント画像は、ドキュメント管理サーバ１４に記憶する他、ドキュメント処理装置１０自体に記憶させてもよい。
【図面の簡単な説明】
【００５３】
【図１】本発明の実施形態に係るドキュメント処理システムの概略構成を示す図である。
【図２】ドキュメント処理装置の構成を示す図である。
【図３】原本ドキュメントの一例を示す図である。
【図４】複製ドキュメントの一例を示す図である。
【図５】複製ドキュメントに対する処理例を示す図である。
【図６】ドキュメント処理装置のユーザインタフェース部に表示されるメニュー画像の一例を示す図である。
【図７】複製ドキュメントに対する処理例を示す図である。
【図８】ドキュメント処理装置の動作を示すフロー図である。
【符号の説明】
【００５４】
１０  ドキュメント処理装置、１２  データ通信ネットワーク、１４  ドキュメント管理サーバ、１６  ドキュメント読取部、１８  制御部、２０  データ通信部、２２  ユーザインタフェース部、２４  ドキュメント出力部、２６  出力画像生成部、２８  相違箇所画像生成部、３０  原本ドキュメント取得部、３２  情報抽出部、３４  コード画像、３６  通常コピーボタン、３８  原本プリントボタン、４０  原本コピーボタン、４２  差分コピーボタン。
【図１】
2005210327.tif 000003
【図２】
2005210327.tif 000004
【図３】
2005210327.tif 000005
【図４】
2005210327.tif 000006
【図５】
2005210327.tif 000007
【図６】
2005210327.tif 000008
【図７】
2005210327.tif 000009
【図８】
2005210327.tif 000010